(57)【要約】      （修正有）【課題】使用または梱包時に取り外す必要のない、フラットパネルディスプレイ用の折り畳み式スタンドを提供する。【解決手段】フラットパネルディスプレイを支持する折り畳み式スタンドであって、フラットパネルディスプレイの底部の中央部に固定される固定パネル２と、固定パネルを最上部にヒンジ接続する胴部１と胴部１の最下面に枢着される２つの支持脚４を設け、フラットパネルディスプレスの底部に回動可能に取り付ける。【選択図】図１
2009271509.tif 000002
【特許請求の範囲】
【請求項１】
フラットパネルディスプレイを支持する折り畳み式スタンドであって、前記フラットパネルディスプレイを支持する支持脚を前記フラットパネルディスプレイの底部に回動可能に取り付けることを特徴とする折り畳み式スタンド。
【請求項２】
前記フラットパネルディスプレイの底部の中央部に固定される固定パネルと、前記固定パネルを最上部にヒンジ接続する胴部と、前記胴部の最下面に枢着される２つの支持脚とを有し、前記胴部の中央部に前記固定パネルを折り曲げて収容可能なエッジスロットを設け、前記支持脚の枢軸が前記固定パネルのヒンジ軸に垂直であり、かつ前記支持脚の幅が前記胴部の幅を超えないことを特徴とする請求項１に記載の折り畳み式スタンド。
【請求項３】
前記支持脚は、それぞれ前記胴部の最下面の左右両側にあることを特徴とする請求項２に記載の折り畳み式スタンド。
【請求項４】
前記支持脚は、前記胴部の最下面の中央部の同じ位置に枢着することを特徴とする請求項２に記載の折り畳み式スタンド。
【請求項５】
前記支持脚が弾性シートであることを特徴とする請求項３または４に記載の折り畳み式スタンド。
【請求項６】
前記支持脚上にワッシャが設けてあることを特徴とする請求項５に記載の折り畳み式スタンド。
【請求項７】
前記フラットパネルディスプレイの底部に設けた固定軸と、前記固定軸上に装着した支持脚とを有し、前記支持脚上に固定軸を収容し転動する装着穴と、前記固定軸を収容して嵌め込み転動不能にする位置決め穴とを順番に設けてあり、前記装着穴と前記位置決め穴とは相互に貫通していることを特徴とする請求項１に記載の折り畳み式スタンド。
【請求項８】
前記固定軸の断面は方形であり、前記位置決め穴の形状は固定軸の断面と合っており、前記装着穴の内径は固定軸の外径よりも大きいことを特徴とする請求項７に記載の折り畳み式スタンド。
【請求項９】
前記固定軸は２つあり、それぞれフラットパネルディスプレイの左右側面に固定し、前記支持脚は略弧形をなす細長い板であることを特徴とする請求項７または８に記載の折り畳み式スタンド。
【請求項１０】
前記固定軸はフラットパネルディスプレイの背後の底部の位置に固定し、前記支持脚は湾曲してなる方形板であることを特徴とする請求項７または８に記載の折り畳み式スタンド。
【発明の詳細な説明】
【技術分野】
【０００１】
本発明は、フラットパネルディスプレイを支持する際に用いる折り畳みスタンドに関するものである。
【背景技術】
【０００２】
従来のフラットパネルディスプレイは、大きさにかかわらず、通常、硬い台の上に置いて使用する。そのため、ディスプレイパネルの下には支持するためのスタンドが必要である。ディスプレイが倒れないようにするため、スタンドの長さはディスプレイパネルの厚さよりも大幅に大きくする必要があり、これによって問題が発生している。ディスプレイを紙箱に入れて梱包し、保管または運送するときに、スタンドをディスプレイパネルから取り外し、別々に置き、使用時に組み立てる必要があり、使用上非常に不便である。また、梱包体積が増大するため、梱包コストおよび輸送コストが増加している。
【０００３】
また、ディスプレイを紙箱に入れて梱包し、保管または運送するときに、スタンドをディスプレイパネルから取り外し、別々に置き、使用時に組み立てる必要があり、使用上非常に不便である。
【発明の概要】
【発明が解決しようとする課題】
【０００４】
本発明は、使用または梱包時に取り外す必要のない、フラットパネルディスプレイ用の折り畳み式スタンドを提供することを目的とする。
【課題を解決するための手段】
【０００５】
本発明は、フラットパネルディスプレイを支持する折り畳み式スタンドであって、フラットパネルディスプレイを支持する支持脚をフラットパネルディスプレイの底部に回動可能に取り付ける折り畳み式スタンドである。
本発明の折り畳み式スタンドにおいては、フラットパネルディスプレイの底部の中央部に固定される固定パネルと、固定パネルを最上部にヒンジ接続する胴部と、胴部の最下面に枢着される２つの支持脚とを有し、胴部の中央部に固定パネルを折り曲げて収容可能なエッジスロットを設け、支持脚の枢軸が固定パネルのヒンジ軸に垂直であり、かつ支持脚の幅が胴部の幅を超えないことが好ましい。
【０００６】
さらに、支持脚は、それぞれ前記胴部の最下面の左右両側にあることが好ましい。あるいは、支持脚は、胴部の最下面の中央部の同じ位置に枢着することが好ましい。支持脚は弾性シートであることが好ましく、支持脚上にワッシャが設けてあることが好ましい。
また本発明の折り畳み式スタンドにおいては、フラットパネルディスプレイの底部に設けた固定軸と、固定軸上に装着した支持脚とを有し、支持脚上に固定軸を収容し転動する装着穴と、固定軸を収容して嵌め込み転動不能にする位置決め穴とを順番に設けてあり、装着穴と位置決め穴とは相互に貫通していることが好ましい。
【０００７】
さらに、固定軸の断面は方形であり、位置決め穴の形状は固定軸の断面と合っており、装着穴の内径は固定軸の外径よりも大きいことが好ましい。固定軸は２つあり、それぞれフラットパネルディスプレイの左右側面に固定し、支持脚は略弧形をなす細長い板であることが好ましい。あるいは、固定軸はフラットパネルディスプレイの背後の底部の位置に固定し、支持脚は湾曲してなる方形板であることが好ましい。
【発明の効果】
【０００８】
本発明によれば、使用または梱包時に取り外す必要のない、フラットパネルディスプレイ用の折り畳み式スタンドを得ることができる。
【図面の簡単な説明】
【０００９】
【図１】本発明の折り畳み式スタンドの例を模式的に示す斜視図である。
【図２】図１の折り畳み式スタンドを折り畳んだ例を模式的に示す斜視図である。
【図３】図１の折り畳みスタンドをフラットパネルディスプレイに取り付けた例を模式的に示す斜視図である。
【図４】本発明の折り畳み式スタンドの他の例を模式的に示す斜視図である。
【図５】図４の折り畳み式スタンドの例を模式的に示す平面図である。
【図６】図４の折り畳みスタンドをフラットパネルディスプレイに取り付けた例を模式的に示す斜視図である。
【図７】本発明の折り畳み式スタンドの他の例を模式的に示す平面図である。
【図８】図７の折り畳み式スタンドの側面図である。
【図９】図７の折り畳み式スタンドを用いてフラットパネルディスプレイを支持する例を模式的に示す側面図である。
【図１０】図９の折り畳み式スタンドを折り畳んだ例を模式的に示す側面図である。
【図１１】本発明の折り畳み式スタンドの他の例を用いてフラットパネルディスプレイを支持する例を模式的に示す平面図である。
【図１２】図11の折り畳み式スタンドを折り畳んだ例を模式的に示す側面図である。
【発明を実施するための形態】
【００１０】
以下に、図を参照して本発明について説明する。
まず、２つの支持脚４を、それぞれ胴部１の最下面に設けてフラットパネルディスプレイに取り付ける例について説明する。
図１〜６に示すように、本発明の折り畳み式スタンドは、胴部１の最上部に固定パネル２がヒンジ接続してあり、固定パネル２を折り曲げて収容可能なエッジスロット３が胴部１の中央部に設けてある。胴部１の最下面に２つの支持脚４が枢着してあり、支持脚４の枢軸は固定パネル２のヒンジ軸に垂直であり、支持脚４の幅は胴部１の幅を超えない。実際の使用時に、固定パネル２をフラットパネルディスプレイ８中央部の背部の最下部に固定し、胴部１および支持脚４を展開すると、フラットパネルディスプレイ８を机の上に安定して立たせることができる。
【００１１】
固定パネル２は、転動することによって胴部１のエッジスロット３内に折り曲げて収納できる。また、２つの支持脚４は、転動することによって胴部１の断面の平行面上に移動できる。このようにして折り畳み式スタンド全体を、フラットパネルディスプレイ８中央部の背部の最下部に折り畳むことができ、使用および梱包、輸送に便利であり、かつ梱包および輸送のコストを大幅に節約することができる。
【００１２】
図１〜３は、支持脚４を、それぞれ胴部１の最下面の左右両側に設ける例である。支持脚４は弾性シートを折り曲げてなり、支持脚４の両端部にいずれもワッシャが設けてある。展開時に、支持脚４の方向を調整し、胴部１の方向に垂直になるようにすればよい。折り畳んで収容するときには、支持脚４を調整し、胴部１の方向に平行になるようにして、折り畳み式スタンド全体を折り畳み、フラットパネルディスプレイ８の背後に隠すことができる。
【００１３】
図４〜６は、支持脚４を、胴部１の最下中央部の同じ位置に枢着し、支持脚４の両端部にいずれもワッシャが設けてある。展開時に、支持脚４の方向を調整し、２つの支持脚４が交叉してＸ形状になるようにする。折り畳んで収容するときには、２つの支持脚４を重ねる。
次に、２つの支持脚４を、それぞれフラットパネルディスプレイ８の固定軸５に取り付ける例について説明する。
【００１４】
図７，図８に示すように、折り畳み式スタンドは、フラットパネルディスプレイ８底部に設けた固定軸５と、固定軸５上に装着した支持脚４とを有し、支持脚４の平面方向は、固定軸５と垂直である。支持脚４上に、装着穴６と位置決め穴７とを設けてあり、装着穴６の内径は、位置決め穴７の内径および固定軸５の断面の外径よりも大きい。位置決め穴７の形状は、固定軸５の断面と合っている。これによって、固定軸５が装着穴６の位置にあるときに転動自在となる。
【００１５】
固定軸５を位置決め穴７に嵌め込むと、支持脚４は転動不能になる。装着穴６と位置決め穴７とは相互に貫通している。その貫通部分は、固定軸５を装着穴６と位置決め穴７との間で任意に移動させ、装着穴６と位置決め穴７とを選択することができる。固定軸５の断面は矩形であり、位置決め穴７の形状は固定軸５の断面と合った矩形である。固定軸５および位置決め穴７は、その他の適切な形状とすることもできる。固定軸５が位置決め穴７内にあるとき、支持脚４は転動不能で展開状態を呈する。これによって、支持脚４はそれぞれフラットパネルディスプレイ８に固定され、フラットパネルディスプレイ８を支持する。
【００１６】
固定軸５が装着穴６の位置にあるときに、支持脚４は転動自在となる。つまりフラットパネルディスプレイ８上の支持脚４は、折り畳みが可能であり、梱包して運送するときに非常に便利である。
図９は、支持脚４を固定してフラットパネルディスプレイ８を支持する例を模式的に示す側面図である。図10は、支持脚４を折り畳んだ例を模式的に示す側面図である。固定軸５は２つあり、それぞれフラットパネルディスプレイ８底部の左右側面に固定する。２つの支持脚４は、いずれも略弧形をなす細長い板である。支持脚４をフラットパネルディスプレイ８の２つの側面に折り畳むときに、大きい空間を占用しない。
【００１７】
図11は、本発明の折り畳み式スタンドの他の例を模式的に示す図であり、支持脚４を固定してフラットパネルディスプレイ８を支持する例を模式的に示す側面図である。図12は、支持脚４を折り畳んだ例を模式的に示す側面図である。固定軸５は１つしかなく、フラットパネルディスプレイ８の背後の底部の位置に固定し、支持脚４は湾曲してなる矩形板である。支持脚４は、別の接続部品を介して固定軸５上にヒンジ接続され、支持脚４を展開した時に、その方向平面が支持面と接触し、さらに安定して立たせることができる。
【００１８】
上記は、本発明の優先的な実施形態でしかなく、本考案を制限するものではない。本考案と同等の技術手法を採用したものは、本考案の保護範囲内とすべきである。
【実施例】
【００１９】
＜実施例１＞
２つの支持脚４を、それぞれ胴部１の最下面の左右両側に設ける折り畳みスタンドを製作し、図１に示すようにフラットパネルディスプレイ８中央部の背部の最下部に固定した。また、２つの支持脚４を、胴部１の最下中央部の同じ位置に枢着する折り畳みスタンドを製作し、図４に示すようにフラットパネルディスプレイ８中央部の背部の最下部に固定した。
【００２０】
これらの折り畳み式スタンドは、いずれもフラットパネルディスプレイ８を安定して支持できた。また、梱包する際には折り畳むことが可能であり、梱包体積を縮小できた。
＜実施例２＞
装着穴６と位置決め穴７を設けた折り畳み式スタンドを製作し、図９に示すようにフラットパネルディスプレイ８の底部の両側面に設けた固定軸５に取り付けた。また、装着穴６と位置決め穴７を設けた折り畳み式スタンドを製作し、図11に示すようにフラットパネルディスプレイ８の底部の中央部に設けた固定軸５に取り付けた。
【００２１】
これらの折り畳み式スタンドは、いずれもフラットパネルディスプレイ８を安定して支持できた。また、梱包する際には折り畳むことが可能であり、梱包体積を縮小できた。
【符号の説明】
【００２２】
１  胴部
２  固定パネル
３  エッジスロット
４  支持脚
５  固定軸
６  装着穴
７  位置決め穴
８  フラットパネルディスプレイ
【図１】
2009271509.tif 000003
【図２】
2009271509.tif 000004
【図３】
2009271509.tif 000005
【図４】
2009271509.tif 000006
【図５】
2009271509.tif 000007
【図６】
2009271509.tif 000008
【図７】
2009271509.tif 000009
【図８】
2009271509.tif 000010
【図９】
2009271509.tif 000011
【図１０】
2009271509.tif 000012
【図１１】
2009271509.tif 000013
【図１２】
2009271509.tif 000014